(57)【要約】【課題】ディスクの調心を確実に行い、加えて、部品点数の削減とコストの低廉化を図ったディスク駆動装置を提供することを目的とする。【解決手段】合成樹脂製のディスク保持部４に保持されたディスクは、その内径部に係合するリング状調心部材５で調心されるようにしてある。そしてこのリング状調心部材５はディスク保持部４と一体的に成形された弾性部６でディスク内径部に接合する方向に付勢されている。組立は、リング状調心部材５に形成した切欠き部にディスク保持部４の弾性部６を通し、これらを相対的に所定角度回すことで完了する。【選択図】図１
2006216125.tif 000002
【特許請求の範囲】
【請求項１】
ディスクを保持するディスク保持部と、このディスク保持部に保持されるとともに、ディスクの内径部に当接する部位をテーパー形状に形成したリング状調芯部材とからなるディスク調芯機構を具備し、前記リング状調芯部材を軸方向に付勢する複数の弾性部を前記ディスク保持部に一体に形成したディスク駆動装置。
【請求項２】
前記リング状調芯部材の内周側に、前記弾性部を通過させる切欠き部を形成し、この切欠き部に弾性部を通過させることでディスク保持部にリング状調芯部材を組み立てるようにした請求項１記載のディスク駆動装置。
【請求項３】
前記弾性部の相対的周方向変移軌跡と対応してリング状調芯部材に突起部を形成した請求項２記載のディスク駆動装置。
【請求項４】
前記突起部の周方向一端を傾斜面に、他端を垂直にそれぞれ形成した請求項３記載のディスク駆動装置。
【請求項５】
請求項１から４いずれか１項に記載のディスク駆動装置を搭載したディスクプレーヤ。
【請求項６】
請求項１から４いずれか１項に記載のディスク駆動装置を搭載したディスクレコーダ。
【発明の詳細な説明】
【技術分野】
【０００１】
本発明は主として、ＣＤ、ＤＶＤの光ディスクなどディスクを回転駆動させるディスク駆動装置に関するものであり、詳しくはディスクを調芯するディスク調芯機構の改良に関するものである。
【背景技術】
【０００２】
従来、高速・高精度を要求される光ディスク駆動装置にあって、光ディスクを調芯するディスク調芯機構は図６または７の構造を採用していた。
【０００３】
すなわち、図６（ａ）、（ｂ）において、ディスク回転用モータ２１はロータ２２とステータ２３によって構成され、ロータ２１のターンテーブル部２４は、ディスク調芯機構２５を有した構成となっている。
【０００４】
前記ディスク調芯機構２５は、ディスク保持リング部２６に一体に成形された複数の調芯爪２７を備えている。
【０００５】
前記調芯爪２７は、半径方向に弾性変形してディスク２８の内径面に当接することにより、その調芯を行うものである。ディスク２８はＴＴクッション２９に保持されるようにしてある。
【０００６】
なお、前記調芯爪２７は、クリープによる変形等の問題から、曲げ弾性率、熱変形温度を限定した樹脂材で構成している（例えば、特許文献１参照）。
【０００７】
また、図７に示す、ロータ３０のターンテーブル部３１に設置されているディスク調芯機構３２は、軸方向上下に移動可能なテーパーリング３３と、テーパーリング３３を軸方向に押圧付勢する付勢手段３４とを備えている。
【０００８】
ディスク２８は、上部からクランパ等により下方に押圧され、その内径部に前記テーパーリング３３を当接して軸方向下方に沈み込むことによって、ディスク２８を調芯するようにしている。ディスク２８はＴＴクッション３５に押圧保持される。
【０００９】
なお、付勢手段３４としては、圧縮ばね、円錐コイルばね、波形状平座金などが挙げられる（例えば、特許文献２参照）。
【特許文献１】特開２０００−３３１４０４号公報（第６頁、図１、図２）
【特許文献２】特開平１１−７３７２２号公報（第１６頁、図８）
【発明の開示】
【発明が解決しようとする課題】
【００１０】
昨今の光メディアの高速化、高密度化に対して、ディスク内径のバラツキからくる位置ずれを規制し低減するための策として、ディスク調芯機構は、光ディスク装置に用いられるディスク駆動装置にとって不可欠となっている。
【００１１】
しかしながら、図５に示すディスク調芯機構では、樹脂の弾性力でディスク内径部より外周側に押圧力を付与していたため、薄型化は可能であるが、車載用など高温環境下等で信頼性を求められる分野では、樹脂のクリープという課題が存在している。すなわち、クリープによって、押圧力を付与する調心爪２７の外径が小さくなり、押圧力が小さくなることによって、ディスク調芯特性の低下が発生する。
【００１２】
また、図７に示すディスク調芯機構では、前者のようなクリープによる変形の心配がなく、信頼性上、安定した特性を確保できる反面、部品点数が多くなる課題があった。つまり、ディスク保持リング部、テーパーリング、付勢部材の３点が少なくとも必要になり、コスト増加は免れられない。
【００１３】
また、押圧付勢部材はコイルばね等によって構成されるが、そのスペース確保のためにある程度の高さを必要とするため、車載用などの薄型化が要望されるディスク駆動装置には不向きな構造となっている。
【００１４】
本発明は、このような従来の課題を解決するものであり、高信頼性で、部品点数が少なく安価で、薄型化が可能なディスク調芯機構を搭載したディスク駆動装置を実現することを目的とする。
【課題を解決するための手段】
【００１５】
本発明は、ディスクを保持するディスク保持部と、このディスク保持部に保持されるとともに、ディスクの内径部に当接する部位をテーパー形状に形成したリング状調芯部材とからなるディスク調芯機構を具備し、前記リング状調芯部材を軸方向に付勢する複数の弾性部を前記ディスク保持部に一体に形成したことにより、ディスク保持部とリング状調芯部材の２つの構成部材のみでディスク調芯機構を可能としたものである。
【発明の効果】
【００１６】
本発明によれば、押圧付勢手段である複数の弾性部がディスク保持部に一体に成形されて構成されていることで、小さなスペースでよく、小型化、薄型化が可能となる。
【００１７】
また、部品点数がディスク保持部とリング状調芯部材の２点のみであり、組立性がよく、しかも安価に製造可能となる。
【００１８】
さらに、弾性部は樹脂製であるが、それ自体がディスク内径面に接して調芯する機構ではなく、軸方向移動可能なリング状調芯部材の押圧付勢手段として機能するため、このリング状調芯部材を初期の位置に押し上げることさえできれば、その機能は果たされ、クリープが調芯性に及ぼす影響は極めて小さく、高信頼性のディスク調芯機構が可能となる。
【発明を実施するための最良の形態】
【００１９】
本発明の実施の形態は、ディスクを保持するディスク保持部と、このディスク保持部に保持されるとともに、ディスクの内径部に当接する部位をテーパー形状に形成したリング状調芯部材とからなるディスク調芯機構を具備し、前記リング状調芯部材を軸方向に付勢する複数の弾性部を前記ディスク保持部に一体に形成したものであり、部品点数が少なく、ディスク調芯機構の薄型化も可能となる。
【００２０】
そして、リング状調芯部材の内周側に、前記弾性部を通過させる切欠き部を形成し、この切欠き部に弾性部を通過させることでディスク保持部にリング状調芯部材を組み立てるようにした。ここで、リング状調芯部材の脱落などを阻止する目的で弾性部の相対的周方向変移軌跡と対応してリング状調芯部材に突起部を形成しておく。
【００２１】
加えて、前記突起部の周方向一端はリング状調芯部材の組立を容易とすべく傾斜面に、他端はその脱落を阻止する目的で垂直にそれぞれ形成しておくのが望ましい。
【００２２】
上記ディスク調芯機構付ディスク駆動装置をディスクプレーヤ、またはディスクレコーダに搭載すれば、セット全体の小型化及び信頼性の向上が可能となる。
【実施例】
【００２３】
以下、本発明の実施例について図面を用いて説明する。
【００２４】
（実施例１）
図１及び２において、モータにおけるロータ１のターンテーブル部２に、圧入または接着等により固定されたディスク調芯機構３は、樹脂で形成されたディスク保持部４とテーパー形状に形成したリング状調心部材５とで構成されている。
【００２５】
前記ディスク保持部４は合成樹脂よりなり、軸方向に弾性変形可能な複数の弾性部６が一体成形により構成されている。
【００２６】
前記リング状調心部材５は、前記ディスク調芯機構３をターンテーブル部２に挿入する前に、ディスク保持部４に装着される。
【００２７】
すなわち、図３において、リング状調心部材５には、弾性部６の外径寸法よりも大きい内径寸法の複数の切欠き部７を周方向等間隔に設けている。さらに、各々の切欠き部７の両側に、傾斜面８と垂直面９を有する突起部１０を設けている。
【００２８】
したがって、図４（ａ）に示すように、前記弾性部６と切欠き部７との位置を合せて弾性部６をディスク保持部４の底面側から挿入して、図４（ｂ）に示すように、リング状調心部材５を反時計方向に回転させる。
【００２９】
リング状調心部材５には突起部１０が設けてあるが、切欠き部７の近傍側は傾斜面８を形成しているので、弾性部６は弾性変形して傾斜面８を容易に乗り越えさせることができる。そして、図４（ｃ）に示すように、それぞれの弾性部６が複数の突起部１０の間に位置する状態まで、リング状調心部材５を回転させる。
【００３０】
次いで、ディスク保持部４とリング状調心部材５が一体となったディスク調芯機構３を、ターンテーブル部２に圧入または接着等により固定する。ディスク保持部４には、永久磁石または磁性材のクランパ吸引部１１を接着等により装着固定する。
【００３１】
以上のような構成で、ディスク１２を装着する際、ディスク１２側に設置されているクランパが、前記クランパ吸引部１１に磁気吸引力により吸引され、クランパがディスク１２を軸方向下方に押圧する。その結果、ディスク１２はその内径部分がリング状調心部材５に当接し、弾性部６を介して弾性的に支持された上記リング状調心部材５を軸方向下方に押圧して、ディスク１２の調芯を行い、ゴムシートまたは樹脂成形部材からなるＴＴクッション１３に保持される。
【００３２】
このように、ディスク保持部４とリング状調心部材５の２つの部材のみによって、軸方向可動によるディスク調芯機構３を構成することができ、また、リング状調心部材５の装着も容易であるので、工数を抑えた、安価なディスク調芯機構３を実現することができるものである。
【００３３】
また、押圧付勢手段である弾性部６が、ディスク保持部４に一体成形されていることで、押圧付勢部材を収納するスペースを確保する必要がなく、装置の小型化、薄型化が可能となる。
【００３４】
さらに、ディスク装着を繰り返すこと等で、リング状調心部材５が回転しても、弾性部６の両側に突起部１０があり、かつ、その垂直面９により弾性部６は左右どちらにも乗り越えることはできず、よって、弾性部６がリング状調心部材５の切欠き部７の位置まで戻ることはなく、その脱落を防止できるものである。
【００３５】
加えて、弾性部６は樹脂製であるが、軸方向移動可能なリング状調心部材５の押圧付勢手段として機能するため、リング状調心部材５を初期の位置に押し上げることさえできれば、その機能は果たされ、樹脂のクリープが調芯性に及ぼす影響を極めて小さくすることができ、高信頼性のディスク調芯機構３を実現することができる。
【００３６】
図５は、本実施例のディスク駆動装置１４を搭載したディスクプレーヤ１５を示し、その装置自体の小型化、薄型化も実現可能となる。
【００３７】
また、ディスク駆動装置１４の信頼性を向上できるので、同様にディスクプレーヤ１５装置自体の信頼性も向上でき、高温環境下等で使用される車載用に搭載しても信頼性の向上が図れる。
【００３８】
なお、ディスク駆動装置１５を搭載したディスクレコーダの場合も、同様に小型化、薄型化、及び信頼性の向上が可能となる。
【産業上の利用可能性】
【００３９】
本発明のディスク駆動装置は、ディスク調芯機構の信頼性向上、及び、小型化、薄型化を図ることができ、ディスクプレーヤ、またはディスクレコーダへの利用が可能である。
【図面の簡単な説明】
【００４０】
【図１】本発明の実施例１におけるクランパ吸引部を除いたディスク調芯機構を示す斜視図
【図２】同ディスク駆動装置の断面図
【図３】同リング状調心部材の斜視図
【図４】同リング状調心部材とディスク保持部の装着状態を示す説明図
【図５】同ディスク駆動装置を搭載したディスクプレーヤの斜視図
【図６】（ａ）は従来のディスク駆動装置を示す断面図（ｂ）は同ディスク駆動装置を示す平面図
【図７】他の従来例を示すディスク調芯機構部の断面図
【符号の説明】
【００４１】
３    ディスク調芯機構
４    ディスク保持部
５    リング状調心部材
６    弾性部
７    切欠き部
８    傾斜面
９    垂直面
１０    突起部
１４    ディスク駆動装置
１５    ディスクプレーヤ
【図１】
2006216125.tif 000003
【図２】
2006216125.tif 000004
【図３】
2006216125.tif 000005
【図４】
2006216125.tif 000006
【図５】
2006216125.tif 000007
【図６】
2006216125.tif 000008
【図７】
2006216125.tif 000009